(57)【特許請求の範囲】
【請求項１】
隣接する構造物間の目地の前部に差渡される複数のホルダーと、両端縁に屈曲端が形成され、ホルダーに被着して支持されるカバー板とを備えてなる目地カバー装置において、
前記ホルダーの少なくとも一端縁に、突端に連係突部を形成したスライド片を進退自在に装着して、該スライド片を付勢手段により外側方へ付勢すると共に、カバー板の一端側屈曲端を、該スライド片の突端に形成した連係突部に外嵌し、カバー板の他端側屈曲端をホルダーの他端に連結したものであって、
前記付勢手段を、基端部をホルダー上に固定され、他端部をスライド片に連係したコイルバネにより構成するとともに、
前記ホルダーの端部裏面で、取付螺子により、コイルバネの基端部を固定し、かつ該取付螺子をホルダーの厚み方向に挿入螺合して、スライド片に、その進退方向へ形成した長孔内に挿入するようにし、
さらにコイルバネは、取付螺子に保持された基端部から両側方へ突出して夫々巻回部により巻回し、さらに内方へ突出してなり、その他端部をスライド片の両側に形成した嵌装孔に両側端から挿入することにより該スライド片に連係して、該スライド片を外側方へ付勢して外方への復元弾力を生じさせていることを特徴とする目地カバー装置のカバー板固定装置。
【発明の詳細な説明】
【０００１】
【発明の属する技術分野】
本発明は、隣接する構造物間に生じる目地を被覆するカバー板を備えた目地カバー装置のカバー板固定装置に関する。
【０００２】
【従来の技術】
隣接する構造物間の目地の前部に差渡され、両構造物の外面側へ付勢されて取付けられる複数のホルダーと、両端縁に屈曲端が形成され、前記ホルダーに被着して支持されるカバー板とを備えてなる目地カバー装置は種々提案されている。
【０００３】
このホルダーに対するカバー板の固定は、カバー板の前面からホルダー側へ螺子を螺着することにより施していた。このため、螺子の頭が露出し、目地を美麗に覆うという目地カバー装置の重要な役割の一つが低減されることとなるという問題点があった。また、カバーの孔位置に合わせてホルダーに現場で螺子孔を穿設して後、該孔相互を一致させて螺子固定するものであるから、取付けが面倒であると共に、螺子孔位置の形成誤差により円滑な取付け作業が困難となる場合もあった。
【０００４】
そこで、図８で示すように、天井壁板ｘ，ｘ間の前部に差渡されるホルダーａの一端縁に固着した連係突部ｂに、外嵌するＵ字部を備えた弾性クリップ片ｃを具備した構成が提案された。そして、ホルダーａにより目地ｓを覆うカバー板ｂを取付けるようにしている。
【０００５】
【発明が解決しようとする課題】
この構成は、螺子固定によらないため、上述の問題点は解決されるものの、複雑な形状の弾性クリップ片ｃを用いるため、カバー板ｄが嵌りにくく、取付け時に治具が必要となって、手間がかかる。また、カバー板ｄを弾性クリップ片ｃのみにより実質的に支持するものであるから、強度が充分ではない。しかも、弾性クリップ片ｃの変形により、カバー板ｄが嵌らなくなったり、傾斜したりして、安定的かつ整一に取付けることができない等の問題点があった。
本発明は、かかる従来構成の問題点を除去することを目的とするものである。
【０００６】
【課題を解決するための手段】
本発明は、上述した隣接する構造物間の目地の前部に差渡される複数のホルダーと、両端縁に屈曲端が形成され、ホルダーに被着して支持されるカバー板とを備えてなる目地カバー装置において、ホルダーの少なくとも一端縁に、突端に連係突部を形成したスライド片を進退自在に装着して、該スライド片を付勢手段により外側方へ付勢すると共に、カバー板の一端側屈曲端を、該スライド片の突端に形成した連係突部に外嵌し、カバー板の他端側屈曲端をホルダーの他端に連結したものであって、
前記付勢手段を、基端部をホルダー上に固定され、他端部をスライド片に連係したコイルバネにより構成するとともに、
前記ホルダーの端部裏面で、取付螺子により、コイルバネの基端部を固定し、かつ該取付螺子をホルダーの厚み方向に挿入螺合して、スライド片に、その進退方向へ形成した長孔内に挿入するようにし、
さらにコイルバネは、取付螺子に保持された基端部から両側方へ突出して夫々巻回部により巻回し、さらに内方へ突出してなり、その他端部をスライド片の両側に形成した嵌装孔に両側端から挿入することにより該スライド片に連係して、該スライド片を外側方へ付勢して外方への復元弾力を生じさせていることを特徴とする目地カバー装置のカバー板固定装置である。
【０００７】かかる構成にあって、まずカバー板の一端側の屈曲端を、スライド片の突端に形成した連係突部に外嵌し、スライド片を外方付勢する付勢手段に抗して、カバー板をホルダーの長手方向に沿って移動する。そして、カバー板の他端側の屈曲端を、ホルダーの他端に連結する。
【０００８】
このホルダーの他端側の連結手段としては、連係突部を端部に備える連結片をカバー板に固着し、該連係突部にカバー板の一端側の屈曲端を外嵌したり、または、この他端側にも上述と同様の外方付勢されたスライド片を装着して、その連係突部に屈曲端を外嵌する等の手段が適用され得る。
また前記付勢手段は、基端部をホルダー上に固定され、他端部をスライド片に連係したコイルバネにより構成することができる。
【０００９】
【発明の実施の形態】
図１は、本発明の一実施例を示し、相互に隣接する吊天井等の天井壁板ｘ，ｘの目地ｓを覆う目地カバー装置に適用したものである。
【００１０】
この目地カバー装置に適用されるホルダー１３は鞘状をしており、天井壁板ｘ，ｘ間の前部に差渡される。すなわち、前記壁板ｘ，ｘの裏面に差渡した介装バー２，２上に、断面コ字状の長尺状保持片１が、目地ｓに跨がって乗載される。そして、保持片１の目地ｓに上下で一致する箇所に形成した透孔３に、螺子杆４が緩く遊挿され、螺子杆４に螺着したナット５と、長尺状保持片１との間に、発条７を付装して、螺子杆４を上方付勢している。この螺子杆４の下端は、鞘状ホルダー１３の上面に係合し、このため発条７により、ホルダー１３の両端は、天井壁板ｘ，ｘに弾接する。
【００１１】
次に、本発明に係るカバー板固定装置の一実施例を説明する。
前記ホルダー１３は両端が開口しており、図１中左端には、連係突部２１を端部に備える連結片２０が嵌着している。この連結片２０は、壁板ｘの裏面に前記発条７の付勢力により圧接する当接端部２２が裏面に上方突成され、かつ該当接端部２２の内方部を前記ホルダー１３の開口に挿入し、その端部に形成した係止爪２３により、該連結片２０をホルダー１３に固着するようにしている。
【００１２】
また、図１中右端には、図２〜４で示す、本発明の要部に係るスライド片３０が進退自在に装着される。このスライド片３０の端部には、連結突部３１が形成され、かつ裏面に前記発条７の付勢力により、壁板ｘに圧接する当接端部３２が裏面に上方突成され、その内方部３３をホルダー１３の開口内で移動可能に挿入している。また、内方部３３の中央部には、長手方向に沿って、長孔３４が形成されている。
【００１３】
一方、前記ホルダー１３の右端部裏面には、取付螺子２９が螺合し、該取付螺子２９により、図５のコイルバネ３５の基端部が固定されている。この取付螺子２９はホルダー１３の厚み方向に挿入螺合するものであって、長孔３４に挿通してスライド片３０の移動を阻害しないようにしている。このコイルバネ３５は、取付螺子２９に保持された基端部３６から両側方へ突出して巻回部３７，３７により巻回し、さらに、内方へ傾斜して突出し、その他端部３８，３８を前記当接端部３２に形成した嵌装孔３９（図４ロ参照）に両側端から挿入し、これにより、コイルバネ３５は基端部をホルダー１３に固定し、他端部をスライド片３０に連係して、該スライド片３０を外側方へ付勢して外方への復元弾力を生じさせるようにしている。
【００１４】
このスライド片３０にはカバー板４０が下方から被着される。このカバー板４０は、その両端部に、内側へ向くコ字状屈曲端４１，４１が形成され、前記屈曲端４１，４１を夫々連係突部２１，３１に嵌合して支持される。
【００１５】
このカバー板４０の取付手段につき説明する。
まず、図６イで示すように、一側のコ字状屈曲端４１をスライド片３０の連結突部３１に側方からはめる。そして図６ロで示すように、コイルバネ３５の復元弾力に抗してカバー板４０を図中の矢印方向へ引張する。これにより、スライド片３０はホルダー１３の開口端に挿入され、連結突部３１が内方へ引っ込み、これにより、図６ハで示すように、左側のコ字状屈曲端４１が連係突部２１に嵌合可能となる。而して、このようにして屈曲端４１を連係突部２１に嵌合した後に、コイルバネ３５の付勢力に抗する力を解除すると、該コイルバネ３５の付勢力により、カバー板４０のコ字状屈曲端４１，４１が夫々連係突部２１，３１に嵌合した状態を維持され、図１で示すように、カバー板４０の装着が完了する。
【００１６】
このように、カバー板４０は、コイルバネ３５の付勢力に抗して、コ字状屈曲端４１，４１を連係突部２１，３１に嵌着することにより、取付治具を設けることなく、容易に装着される。しかも、屈曲端４１，４１は夫々連結片２０及びスライド片３０により係止されるから、保持強度が高く、安定した保持が可能となる。
【００１７】
上記実施例は、ホルダー１３の一端側に連結片２０を固着したものであるが、この一端もコイルバネ３５により外方付勢された、上述のスライド片３０を適用するようにしても良い。
【００１８】
また上記実施例は、天井壁板ｘ，ｘの目地ｓを覆う目地カバー装置に本発明を適用したものであるが側壁間の目地等、種々の目地を覆う目地カバー装置に本発明を適用することが可能である。
【００１９】
図７は、天井壁板ｘと内壁ｙ間に生ずる目地を覆うために用いられる目地カバー装置に、本発明を適用したものである。ここで、上述の実施例と共通部分は同一符号を付して、説明を簡略化する。
【００２０】
ここで、内壁ｙには、螺子杆５１が、固定片５０に支持され、かつ発条５２で上方付勢される。また、ホルダー６０の一端に固定された連結片５５は、前記固定片５０に対して回動可能となっている。そして、前記ホルダー６０の他端には、上述のスライド片３０が装着される。さらには、カバー板７０が、一端の屈曲端７１を前記連結片５５に係合し、他端のコ次状屈曲端７２を前記スライド片３０の連結突部３１に嵌合して取付けられる。
【００２１】
そして、ホルダー６０は連結片５５の回動部を支点として、発条５２により上方付勢され、これにより当接端部３２が天井壁板ｘに圧接することとなる。これにより、天井壁板ｘ，内壁ｙの図中左右方向の変位、及び上下方向の変位等多様な変位があっても、これを吸収して、カバー板７０により目地が覆われることとなる。
【００２２】
【発明の効果】
本発明は、上述したように、隣接する構造物間の目地の前部に差渡され、両構造物の外面側へ付勢されて取付けられる複数のホルダーの、少なくとも各一端縁に、突端に連係突部を形成され、バネにより外方付勢されるスライド片を装着したものであり、カバー板の一端側屈曲端を、該スライド片の連係突部に外嵌し、カバー板の他端側屈曲端をホルダーの他端に連結することにより、該カバー板の固定が施されるから、取付治具を設けることなく、カバー板を容易に装着することができると共に、バネクリップによりカバー板を支持するものと異なり、保持強度が高く、しかも安定的で、整一な保持が可能となる等の優れた効果がある。
【図面の簡単な説明】
【図１】本発明の一実施例に係る目地カバー装置の縦断側面図である。
【図２】要部の拡大縦断側面図である。
【図３】要部の平面図である。
【図４】スライド片３０を示し、イは平面図、ロは正面図である。
【図５】コイルバネ３５の平面図である。
【図６】カバー板４０の取付け手段を示す説明図である。
【図７】本発明の他実施例に係る目地カバー装置の縦断側面図である。
【図８】従来構成に係る目地カバー装置の縦断側面図である。
【符号の説明】
１３  ホルダー
３０  スライド片
３１  連結突部
３５  コイルバネ
４０，７０  カバー板
４１，７１  屈曲端
６０  ホルダー
【図１】
0003976402.tif 000002
【図２】
0003976402.tif 000003
【図３】
0003976402.tif 000004
【図４】
0003976402.tif 000005
【図５】
0003976402.tif 000006
【図６】
0003976402.tif 000007
【図７】
0003976402.tif 000008
【図８】
0003976402.tif 000009